(57)【要約】【課題】  素子と画素電極との電気的接続を良好に保つことが可能な構成を具備した電気光学装置を提供する。【解決手段】  本発明の電気光学装置は、基板上に形成されたＴＦＤ素子４と、基板上に形成され、ＴＦＤ素子４に信号を送信するためのデータ線１３と、データ線１３及びＴＦＤ素子４を覆う形にて基板上に形成された層間絶縁層３４と、該層間絶縁層３４上に形成され、ＴＦＤ素子４と電気的に接続されてなる画素電極９とを具備し、ＴＦＤ素子４と画素電極９とが、層間絶縁層３４に形成されたコンタクトホール３２を介して接続されるとともに、該コンタクトホール３２がＴＦＤ素子４の直上以外の領域に形成されていることを特徴とする。【選択図】  図５
2005292223.tif 000002
【特許請求の範囲】
【請求項１】
基板と、
前記基板上に形成されたデータ線と、
前記基板上に形成されるとともに前記データ線と電気的に接続されてなり、第１導電層と第２導電層との間に絶縁層を備える構成の非線形素子であるスイッチング素子と、
前記スイッチング素子から延設してなる配線と、
前記データ線、前記スイッチング素子及び前記配線を覆う形にて前記基板上に形成された層間絶縁層と、
該層間絶縁層上に形成され、前記層間絶縁層に形成されたコンタクトホールを介して、前記配線と電気的に接続されてなる画素電極とを具備することを特徴とする電気光学装置。
【請求項２】
前記スイッチング素子と前記画素電極とが平面的に重なって形成されていることを特徴とする請求項１又は２に記載の電気光学装置。
【請求項３】
前記配線は、遮光性の部材で形成されてなることを特徴とする請求項１又は２に記載の電気光学装置。
【請求項４】
前記基板と対向する対向基板を備え、
前記基板と前記対向基板との間に、負の誘電異方性を有する液晶が形成されてなることを特徴とする請求項１ないし３のいずれか１項に記載の電気光学装置。
【請求項５】
前記基板と対向する対向基板を備え、
前記対向基板には、前記コンタクトホールと平面的に重なる位置に遮光部が形成されていることを特徴とする請求項１ないし４のいずれか１項に記載の電気光学装置。
【請求項６】
前記配線は、前記スイッチング素子が設けられた領域の延長した領域に設けられてなることを特徴とする請求項１ないし５のいずれか１項に記載の電気光学装置。
【請求項７】
前記配線は、前記コンタクトホールの近傍において、前記コンタクトホールの外形に沿った形状で形成されてなることを特徴とする請求項１ないし６のいずれか１項に記載の電気光学装置。
【請求項８】
前記層間絶縁膜は、平坦化膜であることを特徴とする請求項１ないし７のいずれか１項に記載の電気光学装置。
【請求項９】
前記配線と前記画素電極が電気的に接続されていない隣接するデータ線との距離は、前記画素電極と前記隣接するデータ線との距離よりも離れていることを特徴とする請求項１ないし８に記載の電気光学装置。
【請求項１０】
請求項１ないし９のいずれか１項に記載の電気光学装置を備えることを特徴とする電子機器。
【発明の詳細な説明】
【技術分野】
【０００１】
本発明は、電気光学装置及び電子機器に関する。
【背景技術】
【０００２】
従来、液晶装置等の電気光学装置に用いるスイッチング素子として二端子型の非線形素子が知られており、例えば特許文献１又は特許文献２に開示されたような構成のものがある。
【特許文献１】特開平８−２１１４１０号公報
【特許文献２】特開平１１−１５３８０４号公報
【発明の開示】
【発明が解決しようとする課題】
【０００３】
上記特許文献１及び特許文献２では、二端子型の非線形素子としてＭＩＭ素子を備えた液晶表示装置が開示されており、該ＭＩＭ素子と画素電極とが絶縁層を介して接続されている。しかしながら、これら各特許文献の構成によると、ＭＩＭ素子上に形成されたコンタクトホールを介して該ＭＩＭ素子と画素電極とを電気的に接続しているため、該コンタクトホールの開口径が小さくなり、コンタクト抵抗が高くなる問題を有している。この場合、画素電極への通電特性が低下し、当該液晶表示装置の表示特性の低下を引き起こす場合もある。
【０００４】
本発明は上述の問題を解決するためになされたもので、非線形素子を備える電気光学装置であって、該素子と画素電極との電気的接続を良好に保つことが可能な構成を具備した電気光学装置を提供することを目的としている。さらに、本発明は、このような電気光学装置を備えた信頼性の高い電子機器を提供することを目的としている。
【課題を解決するための手段】
【０００５】
上記の目的を達成するために、本発明の電気光学装置は、基板と、前記基板上に形成されたデータ線と、前記基板上に形成されるとともに前記データ線と電気的に接続されてなり、第１導電層と第２導電層との間に絶縁層を備える構成の非線形素子であるスイッチング素子と、前記スイッチング素子から延設してなる配線と、前記データ線、前記スイッチング素子及び前記配線を覆う形にて前記基板上に形成された層間絶縁層と、該層間絶縁層上に形成され、前記層間絶縁層に形成されたコンタクトホールを介して、前記配線と電気的に接続されてなる画素電極とを具備することを特徴とする。
【０００６】
スイッチング素子として非線形素子を用いた場合、該非線形素子は第１導電層と第２導電層との間の容量によって駆動電圧が定まるが、各導電層の対向する面積が大きくなると、容量が大きくなって大きな駆動電圧を必要とする。したがって、高速、高精細な駆動を行うために、各導電層の対向する面積は小さい方が好ましい。一方、スイッチング素子と画素電極と接続するためのコンタクトホールは、その開口面積が大きいほど、コンタクト抵抗が小さくなって高速、高精細な駆動が可能となる。つまり、高速、高精細な駆動を行うためには、スイッチング素子たる非線形素子は小さくしたい一方で、コンタクトホールは大きくしたい要求がある。
【０００７】
ところが、従来の技術のように非線形素子上にコンタクトホールを形成した場合には、スイッチング素子とコンタクトホールの接続面において、接続部の素子の大きさと接続部のコンタクトホールの大きさを同じにしなければならない。つまり、従来の技術では、スイッチング素子の接続部面積を小さくすればコンタクトホールの開口面積は小さくなり、コンタクトホールの開口面積を大きくすればスイッチング素子の接続部面積が大きくなってしまうものである。
【０００８】
そこで、上述した本発明の電気光学装置によると、スイッチング素子たる非線形素子と画素電極とを接続するためのコンタクトホールを、スイッチング素子から延設された配線上に形成しており、つまり層間絶縁層のうちスイッチング素子の直上以外の領域（スイッチング素子から配線により延設された領域）に形成しているため、スイッチング素子の導電層の面積を小さくする一方、コンタクトホールの開口面積を十分に大きくすることができるようになる。したがって、当該電気光学装置において高速で高精細な駆動が可能となり、例えばこれを表示装置として用いた場合には、高速動画に適した表示特性に優れるものとなる。なお、詳しくは、前記コンタクトホールは、前記スイッチング素子のうち前記層間絶縁層側に形成された第２導電層上以外の領域に形成することができる。
【０００９】
本発明の電気光学装置において、前記スイッチング素子と前記画素電極とが平面的に重なって形成されているものとすることができる。この場合、当該電気光学装置を表示装置として用いた場合、該スイッチング素子の形成領域は非表示部（非有効画素領域）となる一方、スイッチング素子の非形成領域が表示部（有効画素領域）となる。したがって、表示領域として大きな面積を確保することが可能となる。また、前記コンタクトホールが、前記画素電極と平面的に重なって形成されているものとすることができ、この場合も表示領域として一層面積を確保することができるようになる。
【００１０】
また、前記配線は、前記コンタクトホールの直下で該コンタクトホールの開口面積よりも大きな面積を有してなるものとすることができる。このような配線を形成することで、スイッチング素子からコンタクトホールまでの電気的接続を確実にとることができるようになり、さらに該配線を遮光性の部材にて形成することで、コンタクトホールの形成領域を該配線にて確実に遮光することができるようになる。
【００１１】
また、本発明の電気光学装置において、前記基板と対向する対向基板を更に備え、前記基板と前記対向基板との間に、負の誘電異方性を有する液晶が形成されてなるものとすることができる。さらに、前記基板と対向する対向基板を備え、該対向基板には、前記コンタクトホールと平面的に重なる位置に遮光部が形成されているものとすることができる。この場合もコンタクトホールの形成領域を確実に遮光することができるようになる。
【００１２】
また、前記配線は、前記スイッチング素子が設けられた領域の延長した領域に設けられてなるものとすることができる。この場合、スイッチング素子と配線との占有面積を極力小さくすることが可能となる。具体的には、前記配線を一直線状に形成し、その配線上に前記コンタクトホールを形成するものとすればよい。
【００１３】
また、前記配線は、前記コンタクトホールの近傍において、前記コンタクトホールの外形に沿った形状で形成されてなるものとすることができる。詳しくは、前記コンタクトホールの近傍において、前記コンタクトホールの軸断面外形に沿った平面形状で形成されてなるものとすることができる。この場合、配線の占有面積を極力小さくし、且つ上述したコンタクトホールの遮光効果も十分に発現することができる。
【００１４】
前記層間絶縁膜は、平坦化膜であるものとすることができる。具体的には、前記層間絶縁膜が平坦な表面を有するものとして構成することができる。この場合、例えば当該電気光学装置を液晶装置として用いたときには、液晶の配向乱れを効果的に防止ないし抑制することができ、特に配線及び素子の形成されていない領域を平坦化できるので、液晶配向の乱れを抑制するには好都合である。
【００１５】
前記配線と前記画素電極が電気的に接続されていない隣接するデータ線との距離は、前記画素電極と前記隣接するデータ線との距離よりも離れているものとすることができる。詳しくは、１つの画素電極（第１画素電極とする）と、これに信号を供給するための配線と、第１画素電極に隣接する第２画素電極に対して信号を供給するためのデータ線（第２データ線とする）との位置関係について、配線と第２データ線との距離が、第１画素電極と第２データ線との距離よりも大きく形成されてなるものとすることができる。この場合、配線と第２データ線との寄生容量を介して、該第２データ線を導通する信号が当該配線に乗ることを防止ないし抑制することができるようになる。
【００１６】
次に、本発明の電子機器は、先に記載の電気光学装置を具備することを特徴とする。ここで、電子機器としては、例えば、携帯電話機、移動体情報端末、時計、ワープロ、パソコンなどの情報処理装置などを例示することができる。このような電子機器によれば、先に記載の電気光学装置を用いているので、高速で高精細の駆動が可能となるとともに、該電気光学装置を表示部として備えている場合には、有効画素面積が大きい視認性に優れた表示を提供することができるようになる。
【発明を実施するための最良の形態】
【００１７】
次に、本発明に係る実施の形態について図面を参照しつつ説明する。なお、各図において、各層や各部材を図面上で認識可能な程度の大きさとするため、各層や各部材毎に縮尺を異ならせてある。
【００１８】
［電気光学装置］
図１は、本発明の電気光学装置の一実施形態である液晶表示装置について、各構成要素とともに示す対向基板側から見た平面図であり、図２は、その要部の断面図である。図３は液晶表示装置の画像表示領域においてマトリクス状に形成された複数の画素における各種素子、配線等の等価回路図である。ここで、本実施形態の電気光学装置は、図示しないバックライトからの光を用いる透過型液晶表示装置であって、スイッチング素子として二端子型非線形素子、ここではＴＦＤ（Thin Film Diode）素子を用いたアクティブマトリクス方式の液晶表示装置である。
【００１９】
図１及び図２に示すように、本実施の形態の液晶表示装置１００は、対をなす下基板１１０と上基板１２０とが紫外線硬化性のシール材５２によって貼り合わされ、このシール材５２によって区画された領域内に液晶５０が封入、保持されている。シール材５２は、基板面内において閉ざされた環状（枠状）に形成されており、液晶注入口を備えていない構成となっている。つまり、液晶注入口を封止する封止材を備えておらず、環状全体が同一の材料にて連続的に構成されている。なお、液晶注入口を備え、これを封止材により封止した構成のシール材を用いることもできる。
【００２０】
矩形環状のシール材５２のうち、図１に示す下基板１１０の右辺、左辺（対向した２つの辺）に沿う部分には、下基板１１０と上基板１２０との間で電気的に導通するための導電性粒子（基板間導通部）２０６が含有されている。なお、この導電性粒子２０６は異方性導電粒子にて構成されている。
【００２１】
下基板１１０の内面側には複数の画素電極９がマトリクス状に形成される一方、上基板１２０の内面側には短冊状のストライプ電極２３が形成されており、各電極９，２３の内面側には更に配向膜（図示略）が形成されている。なお、画素電極９にはスイッチング素子としてＴＦＤ素子４（薄膜ダイオード素子、図４参照）が接続されている。
【００２２】
また、本実施の形態では、上基板１２０よりも下基板１１０の外形寸法の方が大きく、上基板１２０と下基板１１０の３辺（図１における上辺、右辺、左辺）ではほぼ縁（基板の端面）が揃っているが、上基板１２０の残りの１辺（図１における下辺）からは下基板１１０の周縁部が張り出すように配置され、張出領域９０を形成している。
張出領域９０には、下基板１１０側に形成された画素電極９を駆動するための第１駆動ＩＣ２０１と、上基板１２０側に形成されたストライプ電極２３を駆動するための第２駆動ＩＣ２０２とが実装されている。なお、各駆動ＩＣ２０１，２０２には図示しない外部接続端子が形成され、当該液晶表示装置１００とは異なる外部機器から表示制御信号等を受信可能な構成となっている。
【００２３】
第１駆動ＩＣ２０１及び第２駆動ＩＣ２０２は、ともに下基板１１０上に配設され、しかも矩形状の下基板１１０の同一の張出領域９０に形成されている。第１駆動ＩＣ２０１は、下基板１１０側に形成された信号線を介してＴＦＤ素子４（図４参照）、ひいては画素電極９に信号を送信するためのＩＣであって、該下基板１１０に形成された配線２０５を介して信号供給が行われている。
【００２４】
第２駆動ＩＣ２０２は下基板１１０に形成される一方、上基板１２０に形成されたストライプ電極２３に信号を送信するためのＩＣであるため、下基板１１０に形成された引き廻し配線２０７を介し、さらにシール材５２に形成された導通性粒子２０６を介してストライプ電極２３に信号が供給されるものとなっている。ここで、引き廻し配線２０７は、図１に示したシール材５２の下辺部を跨いで、該シール材５２の環状内側から導通性粒子２０６に接続されている。
【００２５】
上下基板間の電気的導通は、以下のように行われている。
まず、上基板１２０に形成されたストライプ電極２３は、その一端若しくは両端がシール材５２の内部に食い込む形にて延在しており、シール材５２内部で導電性粒子２０６に電気的に接続されている。
一方、下基板１１０側には、上述した第２駆動ＩＣ２０２（図１参照）と接続する引き廻し配線２０７が形成されており、引き廻し配線２０７は、図１に示すように、下基板１１０の下辺側の張出領域９０に実装された第２駆動ＩＣ２０２から、下基板１１０の左右辺方向に延びるように屈曲して形成されており、下基板１１０の下辺部においてシール材５２を跨いで、該シール材５２の内側領域を下基板１１０の左右辺に沿って縦方向に延びている。そして、所定のストライプ電極２３と接続する位置にてシール材５２の内部に導通し、導電性粒子２０６に電気的に接続されている。
【００２６】
ここで、導電性粒子２０６は、異方性導電粒子を用いて構成されており、上下方向の接続が確実なものとなるように、上下に弾性変形した形にて配設されている。該粒子２０６は、基板貼り合わせ前において、液晶層厚を規定するスペーサー（図示略）の直径よりも０．１μｍ〜１．０μｍ程度大きな直径を有したものを用いるのが良く、これを上下に１％〜１０％程度圧縮させて用いるのが良い。
【００２７】
なお、液晶表示装置１００においては、使用する液晶５０の種類、すなわちＴＮ（Twisted Nematic）モード、ＳＴＮ（Super Twisted Nematic）モード、ＶＡＮ（Vertical Aligned Nematic）モード等の動作モードや、ノーマリホワイトモード／ノーマリブラックモードの別に応じて、位相差板、偏光板等が所定の向きに配置されるが、ここでは図示を省略する。
【００２８】
このような構成を有する液晶表示装置１００の画像表示領域においては、図３に示すように、複数の画素１５がマトリクス状に構成されている。また、図３に示すように、液晶表示装置１００は第１駆動ＩＣ２０１及び第２駆動ＩＣ２０２を含んでおり、複数の走査線１４（対向電極２３に相当）と、該走査線１４と交差する複数のデータ線１３とが設けられ、データ線１３は第１駆動ＩＣ２０１からの信号を、走査線１４は第２駆動ＩＣ２０２からの信号を各画素１５に供給する。そして、各画素１５において、データ線１３と走査線１４との間にＴＦＤ素子４と液晶表示要素１６（液晶層）とが直列に接続されている。なお、図３では、ＴＦＤ素子４がデータ線１３側に接続され、液晶表示要素１６が走査線１４側に接続されているが、これとは逆にＴＦＤ素子４を走査線１４側に、液晶表示要素１６をデータ線１３側に設ける構成としても良い。
【００２９】
以上のような回路構成により、ＴＦＤ素子４のスイッチング特性に基づいて液晶表示要素１６が駆動制御されるとともに、その液晶表示要素１６の駆動に基づいて画素１５毎に明暗表示がなされ、液晶表示装置１００の表示領域において画像表示が行われるものとされている。以下、ＴＦＤ素子４及び画素１５の構成、並びにＴＦＤ素子４を備えた素子基板１１０の構成について詳細に説明する。
【００３０】
図４は、１画素当りの平面構成を示す図であって、主として画素電極９とＴＦＤ素子４及びデータ線１３の平面的位置関係を示す図である。また、図５は、下基板（以下、素子基板とも言う）１１０における１画素当り（隣接する画素の一部を含む）の断面構成を示す図（図４のＡ−Ａ’断面に相当）であって、主として画素電極９とＴＦＤ素子４及びデータ線１３の断面的位置関係を示す図である。
【００３１】
図４に示すように、本実施形態のＴＦＤ素子４は、いわゆるBack to Back構造を有してなり、データ線１３と画素電極９とがＴＦＤ素子４を介して接続されている。なお、データ線１３は、図１及び図２に示すようにシール材５２の外側領域（非表示領域）において実装端子（外部接続端子）１８に接続され、各種データの入出力が可能な構成となっている。これらＴＦＤ素子４、データ線１３は、図５に示すように素子基板１１０上に形成されている。
【００３２】
素子基板１１０は、絶縁性及び透明性を有するガラス基板或いはプラスチック基板等からなり、該素子基板１１０上には、下地絶縁膜３を介してデータ線１３及びＴＦＤ素子４が形成されている。データ線１３は、クロムによって形成されてなり、画素電極９の非形成領域に配設されており、画素電極９の形成領域に配設されたＴＦＤ素子４と電気的に接続されている。つまり、データ線１３は画素電極９と平面的に重ならない位置に配設され、ＴＦＤ素子４は画素電極９と平面的に重なる位置に配設されている。
【００３３】
データ線１３と接続されてなるＴＦＤ素子４は、タンタル及びクロムによって絶縁膜を狭持した構成を有している。詳しくは、ＴＦＤ素子４は、素子基板１１０上に下地絶縁膜３を介して形成されており、タンタルにて構成された第１導電膜６と、第１導電膜６の表面を酸化してなる酸化タンタル（Ｔａ２Ｏ５）にて構成された絶縁膜（絶縁層）７と、該絶縁膜７上に配設されクロムにて構成された第２導電膜８とを素子基板１１０側から備えてなるものである。そして、第２導電膜８の一部がデータ線１３と接続され、異なる一部が画素電極９と電気的に繋がる金属配線３５と接続されている。
【００３４】
データ線１３、ＴＦＤ素子４及び金属配線３５を含む素子基板１１０には、これらを覆う形にて層間絶縁膜３４が形成されている。層間絶縁膜３４はシリコン酸化膜或いはアクリル樹脂等の透光性絶縁膜にて構成されている。そして、この層間絶縁膜３４上にＩＴＯ等の透明導電材料からなる画素電極９が形成されている。なお、層間絶縁膜３４には、画素電極９とＴＦＤ素子４とを電気的に接続するためのコンタクトホール３２が、ＴＦＤ素子４とは重ならない位置（つまりＴＦＤ素子４の直上以外の領域）であって、画素電極９と平面的に重なる位置に配設されている。
【００３５】
上述の通り、画素電極９はコンタクトホール３２を介してＴＦＤ素子４と電気的に接続されているわけであるが、ＴＦＤ素子４の第２導電膜８から上記コンタクトホール３２までは、金属配線３５が素子基板１１０（詳しくは下地絶縁膜３）上に設けられており、該金属配線３５によって電気的接続が図られている。また、図４に示すように、金属配線３５はコンタクトホール３２との接続部において平面視拡径のコンタクト部３６を有しており、該コンタクト部３６においてコンタクトホール３２内の画素電極９と接続されている。つまり、ＴＦＤ素子４からの信号は、金属配線３５を介して画素電極９に供給されるようになっている。ここで、金属配線３５はＣｒにより形成されている。
【００３６】
一方、上基板（以下、対向基板とも言う）１２０には、図５に示すように赤色（Ｒ），緑色（Ｇ），青色（Ｂ）からなる各着色層（本実施の形態では赤色のみ示す）がブラックマトリクス（ＢＭ）にて区画された態様で形成されてなるカラーフィルタＣＦが配設されている。また、カラーフィルタＣＦの内面側（液晶５０側）には、絶縁材料からなる平坦化膜２４が形成され、該平坦化膜２４の更に内面側にはストライプ状の対向電極２３が形成されている。
【００３７】
また、対向基板１２０の内面側には、図６にも示すように、素子基板１１０側の層間絶縁膜３４に形成されたコンタクトホール３２と平面的に重なる位置にクロム等の遮光性材料からなる遮光部２５が形成されている。なお、図６は、画素電極９と、対向基板１２０側の遮光部２５との平面的位置関係を示す説明図である。
【００３８】
このように本実施の形態では、カラーフィルタＣＦを対向基板１２０側に形成している。カラーフィルタＣＦを素子基板１１０側に形成する場合には、該カラーフィルタＣＦを形成するための熱処理工程（２００℃以上）を素子基板１１０に施す必要があり、素子基板１１０に形成する樹脂材料の熱ダレが問題となるが、該カラーフィルタＣＦを対向基板１２０側に形成することで、樹脂材料に対する熱負荷を軽減することが可能となる。
【００３９】
以上のような本実施の形態の液晶表示装置１００では、以下のような効果を発現することができる。
【００４０】
まず、層間絶縁膜３４の形成により、画素電極９とＴＦＤ素子４及び／又はデータ線１３との間の寄生容量を低減することができる。
また、ＴＦＤ素子４及びデータ線１３を覆う形にて画素電極９を形成しているため、画素電極９をＴＦＤ素子４及びデータ線１３と同一平面上に形成する場合に比して、該画素電極９を大きく構成することができ、ひいては有効画素領域を大きくとることができるようになる。
【００４１】
一方、従来のアクティブ・マトリクス型の液晶表示装置では、画素電極とその両側の各データ線との間隔が夫々狭いため、特に、画素電極とそれに接続されていない隣接するデータ線との間に生じる寄生容量の影響により、いわゆる縦クロストークが生じ、表示品位が低下してしまうという問題があった。しかしながら、本実施の形態では、層間絶縁膜３４を介して画素電極９を形成することで、該縦クロストークの発生を抑制することができるようになった。なお、この縦クロストークは、灰色などを背景色として、赤、青、緑などの単色、或いは赤、青、緑の各色に対して補色の関係にある、シアン、マゼンタ、イエローなどの色を矩形状に表示したときに矩形表示領域の上下方向に位置する領域が、本来表示されるべき背景色より明るく表示されてしまい、かつ、微妙に色づいて表示されてしまう現象をいう。
【００４２】
また、本実施の形態によると、ＴＦＤ素子４と画素電極９とが、層間絶縁膜３４に形成されたコンタクトホール３２を介して接続されるとともに、該コンタクトホール３２がＴＦＤ素子４の直上以外の領域に形成されている。したがって、ＴＦＤ素子４の導電層（第２導電膜８）の面積に拘らず、コンタクトホール３２の開口面積を十分に大きくすることができるようになる。つまり、ＴＦＤ素子４の容量を出来る限り小さくすべく導電層の面積を小さくする一方、コンタクトホール３２の開口面積を大きくすることができるため、高速で高精細な駆動が可能となり高速動画表示に対応可能となる。
【００４３】
また、ＴＦＤ素子４が画素電極９と平面的に重なる位置に形成されているため、該ＴＦＤ素子４の形成領域は非表示部（非有効画素領域）となる一方、ＴＦＤ素子４の非形成領域が表示部（有効画素領域）となる。したがって、画素の表示部の面積を大きく確保することが可能となる。また、コンタクトホール３２も、画素電極９と平面的に重なって形成されているため、同じく表示領域として一層大きな面積を確保することができるようになる。
【００４４】
また、ＴＦＤ素子４の第２導電膜８からコンタクトホール３２まで延設してなる金属配線３５を形成しているため、ＴＦＤ素子４からコンタクトホール３２までの電気的接続が確実なものとなっている。さらにコンタクトホール３２の形成領域には、該金属配線３５を拡径したコンタクト部３６を設けているため、該コンタクトホール３２を確実に遮光することができるようになる。
【００４５】
なお、本実施の形態では、金属配線３５と画素電極９が電気的に接続されていない隣接するデータ線１３ｂとの距離は、画素電極９と隣接するデータ線１３ｂとの距離よりも離れて形成されている。詳しくは、１つの画素電極（第１画素電極とする）９と、これに信号を供給するための配線３５と、第１画素電極９に隣接する第２画素電極９ｂに対して信号を供給するためのデータ線１３ｂ（第２データ線とする）との位置関係について、配線３５と第２データ線１３ｂとの距離が、第１画素電極９と第２データ線１３ｂとの距離よりも大きく形成されている。この構成により、配線３５と第２データ線１３ｂとの寄生容量を介して、該第２データ線１３ｂを導通する信号が当該配線３５に乗ることを防止ないし抑制している。
【００４６】
なお、以上の実施の形態では、ＴＮモードの液晶を用いた場合について説明したが、例えばＶＡＮモードの液晶を用いた場合には、図７に示したような平面構成の画素電極９を用いることが好ましい。図７に示したＶＡＮモード対応の画素電極９は、略正八角形の平面形状を有する複数の島状部９ａと、これら島状部９ａを連結する枝状の連結部９ｂとから構成されており、各島状部９ａ内で垂直配向性の液晶分子が配向分割されるものとなっている。
【００４７】
ＶＡＮモードの液晶表示装置では、液晶５０が誘電異方性が負の液晶材料にて構成される。したがって、初期配向状態で液晶分子が基板面に対して垂直に立っているものを、電界印加により倒すわけであるから、何も工夫をしなければ（プレチルトが付与されていなければ）液晶分子の倒れる方向を制御できず、配向の乱れ（ディスクリネーション）が生じて光抜け等の表示不良が生じ、表示特性を落としてしまう。そのため、ＶＡＮモードの採用にあたっては、電界印加時の液晶分子の配向方向の制御が重要な要素となる。
【００４８】
そこで、図７に示した例においては、画素電極９を略正八角形からなる島状部９ａを主体として構成し、各島状部９ａにおいて液晶分子の配向方向を規制している。具体的には、画素電極９を八角形に切り欠いたことで対向する電極２３との間で斜め電界を生じさせ、該斜め電界に応じたプレチルトを付与するものとしており、その結果、略正八角形の島状部９ａの中心から外側に向かって、略同心円状に液晶分子が倒れるようになる。なお、コンタクトホール３２は、液晶５０の挟持面に凹部を付与するため、これを島状部９ａの中心に設計するものとしても良い。その場合、コンタクトホール３２を中心とするプレチルトの付与を一層確実なものとすることができる。
【００４９】
以上、本発明の電気光学装置の一実施形態として液晶表示装置を示したが、本発明はこれに限定されることなく、反射型の液晶表示装置や、反射表示と透過表示の双方を可能にした半透過反射型の液晶表示装置等にも本発明の構成を採用することができる。また、液晶表示装置（液晶装置）以外にも、電気光学装置として、ＥＬ（Electro Luminescence）装置、電子放出素子（Field Emission Display及びSurface-Conduction Electron-Emitter Display）等に本発明の構成を適用してもよい。
【００５０】
［電子機器］
次に、本発明の上記実施の形態の液晶表示装置を備えた電子機器の具体例について説明する。
図８は、携帯電話の一例を示した斜視図である。図８において、符号５００は携帯電話本体を示し、符号５０１は上記液晶表示装置を用いた表示部を示している。このような電子機器は、上記実施の形態の液晶表示装置を用いた表示部を備えているので、表示特性が低下することがない、有効画素面積が最大となった電子機器となる。
また、上記の電子機器は、携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても視認性に優れた表示が可能になっている。
【図面の簡単な説明】
【００５１】
【図１】本発明の電気光学装置の一実施形態として液晶表示装置を示す平面図。
【図２】図１の液晶表示装置の断面構成を示す図。
【図３】図１の液晶表示装置の等価回路を示す図。
【図４】図１の液晶表示装置の画素構成について示す平面模式図。
【図５】図１の液晶表示装置の画素構成について示す断面模式図。
【図６】画素電極と対向基板側の遮光部との位置関係を示す平面模式図。
【図７】図１の液晶表示装置の画素構成について一変形例を示す平面模式図。
【図８】本発明の電子機器の一実施形態を示す斜視図。
【符号の説明】
【００５２】
４…ＴＦＤ素子（非線形素子）、９…画素電極、１３…データ線、３２…コンタクトホール、３４…層間絶縁膜（層間絶縁層）、３５…金属配線、１００…液晶表示装置（電気光学装置）
【図１】
2005292223.tif 000003
【図２】
2005292223.tif 000004
【図３】
2005292223.tif 000005
【図４】
2005292223.tif 000006
【図５】
2005292223.tif 000007
【図６】
2005292223.tif 000008
【図７】
2005292223.tif 000009
【図８】
2005292223.tif 000010